(57)【要約】【課題】簡易な構成で母藻を容易に取り付けることができる藻場造成方法及び藻場造成用冶具を提供する。【解決手段】母藻を繊維層に固定するための藻場造成用冶具１であって、棒状部３と、該棒状部３の末端に形成された取手部５と、該棒状部３の先端に形成され、耐海水性を有するテープ状部材を把持する把持部７とを備え、該把持部７は、棒状部３の先端において屈曲して形成され、把持部７の先端に楕円状の貫通孔１１を有することを特徴とする。【選択図】      図１
2005013162.tif 000002
【特許請求の範囲】
【請求項１】
針金を樹脂コーティングし、略平面状に形成された幅広な被覆針金と、母藻が植えられる耐海水性繊維マットと、該耐海水性繊維マットが取り付けられている被取付体とを用い、前記被覆針金により前記母藻を取付固定することを特徴とする藻場造成方法。
【請求項２】
母藻を繊維層に取り付けるための藻場造成用冶具であって、棒状部と、該棒状部の末端に形成された取手部と、該棒状部の先端に形成され、耐海水性を有するテープ状部材を把持する把持部とを備え、該把持部は、前記棒状部の先端において屈曲して形成され、該把持部の先端に貫通孔を有することを特徴とする藻場造成用冶具。
【請求項３】
前記把持部と前記棒状部との前記屈曲の角度は、略６０〜１２０度であることを特徴とする請求項２記載の藻場造成用冶具。
【請求項４】
前記テープ状部材は、針金を樹脂コーティングして、略平面状に形成されていることを特徴とする請求項２または３記載の藻場造成用冶具。
【請求項５】
請求項２または３記載の藻場造成用冶具と、針金を樹脂コーティングし、略平面状に形成された幅広な被覆針金と、母藻が植えられる耐海水性繊維マットと、該耐海水性繊維マットが取り付けられているコンクリートブロックとを用い、前記被覆針金を前記藻場造成用冶具の前記貫通孔に挿通し、前記耐海水性繊維マットの一側面から、前記藻場造成用冶具の前記把持部の先端を、前記耐海水性繊維マットの表面と略垂直に、繊維層内に挿入し、前記藻場造成用冶具を前記耐海水性繊維マットの前記一側面と反対側の側面に向かって回転させることにより前記被覆針金を前記繊維層内に挿通させて、前記被覆針金の先端部を前記耐海水性繊維マットの表面から表出させ、前記藻場造成用冶具を繊維層内に挿通させた前記被覆針金から抜き取り、表出させた前記被覆針金の前記先端部と前記被覆針金とを撚り合わせることにより、前記母藻を取付固定することを特徴とする藻場造成方法。
【発明の詳細な説明】
【０００１】
【発明の属する技術分野】
本発明は、藻場造成方法及び藻場造成用冶具に関し、特に、中間育成した大型褐藻類の母藻を繊維層に取り付けるための藻場造成方法及びこれに用いる藻場造成用冶具に関する。
【０００２】
【従来の技術】
港湾整備、海岸整備において築造される防波堤や消波堤などに代表される人口構造物は、海岸侵食対策や港湾環境整備策としての位置付けがあるが、反面、建設地における自然を破壊し、その場所に生育する生物や植物の住みかを破壊してしまうなど、環境負荷への懸念があった。
【０００３】
このような環境負荷への懸念から、海中植物を人工的に造成する試みが従来からあったが、防波堤や消波堤の周辺における藻場造成においては設置水深が深くなるケースが多く、植物の生育に必要な光合成ができず、良好な生育条件を確保できないといった問題を生じていた。また、種苗や母藻を人口基盤や自然石に設置する際に、接着剤に頼るケースが多かったため、特に水中施工の際に、施工性の点で問題を生じていた。
【０００４】
そこで、このような問題を克服するために、コンクリートブロックに繊維層を有する耐海水性マットを取り付け、こうした耐海水性マットの繊維層に母藻を付着させることにより藻場を造成する方法が提案されている（例えば、特許文献１参照）。
【０００５】
【特許文献１】
特開２００１−１３６８５２号公報
【０００６】
【発明が解決しようとする課題】
しかしながら、上述の特許文献１に開示された発明においては、藻場造成用の繊維層に母藻を取付固定する際の作業性が悪く、依然として施工が困難であるという問題を生じていた。
【０００７】
また、母藻を繊維層に取付固定する際の固定部材の海水による腐食により、一旦、取り付けた母藻が離脱するといった問題を生じていた。さらには、母藻を糸等により繊維層に取付固定する際には、母藻を傷める虞も生じていた。
【０００８】
そこで、本発明は上記のような従来技術の問題点に鑑みて、簡易な構成で母藻を容易に取り付けることができる藻場造成用冶具及びこれを用いた藻場造成方法を提供することを目的とする。
【０００９】
【課題を解決するための手段】
上記目的を達成するために、本発明に係る藻場造成方法は、針金を樹脂コーティングし、略平面状に形成された幅広な被覆針金と、母藻が植えられる耐海水性繊維マットと、該耐海水性繊維マットが取り付けられている被取付体とを用い、前記被覆針金により前記母藻を取付固定するから、被覆針金はさび難く、母藻の根を痛め難く、母藻を確実に取付固定することができ、これにより、藻場造成作業の効率化・簡易化が図れる。
【００１０】
また、本発明の藻場造成用冶具は、母藻を繊維層に取り付けるための藻場造成用冶具であって、棒状部と、該棒状部の末端に形成された取手部と、該棒状部の先端に形成され、耐海水性を有するテープ状部材を把持する把持部とを備え、該把持部は、前記棒状部の先端において屈曲して形成され、該把持部の先端に貫通孔を有することを特徴とする。
【００１１】
このように構成した本発明に係る藻場造成用冶具によれば、棒状部の末端に取手部と先端に耐海水性を有するテープ状部材を把持する把持部を有し、この把持部は、棒状部の先端において屈曲して形成され、把持部の先端に楕円状の貫通孔を有するので、耐海水性のテープ状部材を藻場造成用冶具の楕円状の貫通孔に挿通把持して、簡易に藻場造成用の繊維層内を挿通させることができ、これにより、耐海水性のテープ状部材を用いて、母藻を傷めることなくソフトに簡易に母藻を繊維層に取付固定することができる。
【００１２】
ここで、前記把持部と前記棒状部との前記屈曲の角度は、６０〜１２０度であってもよい。
【００１３】
この場合は、把持部と棒状部との屈曲の角度が、６０〜１２０度であるので、耐海水性のテープ状部材を挿通把持している把持部を簡単・確実に藻場造成用の繊維層内に挿入することができ、これにより母藻の取付固定作業の一層の簡易化が図れる。
【００１４】
また、前記テープ状部材は、針金を樹脂コーティングして、略平面状に形成されていてもよい。
【００１５】
この場合は、母藻固定用のテープ状部材として、針金を樹脂コーティングして、略平面状に形成されている被覆針金を用いるので耐海水性（耐食性）が高く、芯材に針金を用いているので安価に構成できると共に、母藻を容易に取付固定することができる。さらに、この被覆針金は、幅広のテープ状に形成されているので、取付固定の際に接触面積が大きく取れ、母藻を傷めることがない。
【００１６】
また、本発明の藻場造成方法は、上記藻場造成用冶具と、針金を樹脂コーティングし、略平面状に形成された幅広な被覆針金と、母藻が植えられる耐海水性繊維マットと、該耐海水性繊維マットが取り付けられているコンクリートブロックとを用い、前記被覆針金を前記藻場造成用冶具の前記貫通孔に挿通し、前記耐海水性繊維マットの一側面から、前記藻場造成用冶具の前記把持部の先端を、前記耐海水性繊維マットの表面と略垂直に、繊維層内に挿入し、前記藻場造成用冶具を前記耐海水性繊維マットの前記一側面と反対側の側面に向かって回転させることにより前記被覆針金を前記繊維層内に挿通させて、前記被覆針金の先端部を前記耐海水性繊維マットの表面から表出させ、前記藻場造成用冶具を繊維層内に挿通させた前記被覆針金から抜き取り、表出させた前記被覆針金の前記先端部と前記被覆針金とを撚り合わせることにより、前記母藻を取付固定することを特徴とする。
【００１７】
この藻場造成方法によれば、上記藻場造成用冶具と、樹脂材料でコーティングした幅広な被覆針金と、母藻が植えられる耐海水性繊維マットと、該耐海水性繊維マットが表面に取り付けられているコンクリートブロックとを用い、まず、被覆針金を藻場造成用冶具の貫通孔に挿通し、次に、耐海水性繊維マットの一側面から、藻場造成用冶具の把持部の先端を、耐海水性繊維マットの表面と略垂直に、繊維層内に挿入し、藻場造成用冶具を耐海水性繊維マットの前記一側面と反対側の側面に向かって回転させることにより被覆針金を前記繊維層内に挿通させて、被覆針金の先端部を耐海水性繊維マットの表面から表出させ、藻場造成用冶具を繊維層内に挿通させた被覆針金から抜き取り、表出させた被覆針金の先端部と被覆針金とを撚り合わせることにより、母藻を取付固定することができるので、簡易な用具及び操作により、母藻を確実に取付固定することができ、これにより、藻場造成作業の効率化・簡易化が図れる。
【００１８】
【発明の実施形態】
以下、本発明の一実施形態について、図面を参照して説明する。
【００１９】
まず、本発明に係る藻場造成用冶具について、図１及び図２を参照して説明する。
【００２０】
図１は、本発明に係る藻場造成用冶具を模式的に示す図であり、（ａ）は藻場造成用冶具の構成を示す図であり、（ｂ）は先端の把持部の構成を示す図である。また、図２は、耐海水性の被覆したテープ状部材を模式的に示す図であり、（ａ）は平面図、（ｂ）は（ａ）のＡ−Ａ線に沿った断面図である。
【００２１】
図１（ａ）に模式的に示されるように、棒状部材で形成されている本発明に係る藻場造成用冶具１は、４０ｃｍ〜６０ｃｍの長さを有する棒状部３の末端に取手部５を有し、先端に後述する耐海水性を有するテープ状部材９を把持する把持部７を有している。そして、この把持部７は、５ｃｍ〜１０ｃｍの長さを有し、図１（ｂ）に模式的に示されるように、棒状部３の先端において、棒状部３と６０〜１２０度、好ましくは略９０度（８５〜９５度）の角度を有するように屈曲して形成され、把持部７の先端には楕円状の貫通孔１１を有している。ここで、藻場造成用冶具１を構成している棒状部材としては、通常の鋼棒等を適宜折り曲げて用いることができる。
【００２２】
また、母藻を藻場造成用の繊維層に取付固定するための固定部材であるテープ状部材９は、図２（ａ）、（ｂ）に示されるように、針金部１３を樹脂１５等でコーティングし、耐海水性を有するように形成したものであり、略平面形状の幅広な被覆針金９となっている。
【００２３】
次に、藻場造成用のコンクリ−トブロックについて、図３を参照して説明する。図３は、本発明に係る藻場造成用冶具が適用される藻場造成用のコンクリ−トブロックを示す斜視図である。
【００２４】
図３に示されるように、被取付体たるコンクリ−トブロック２０には、水平断面が十字状である基台部２１の表面に、藻場造成用の５〜１０ｃｍの厚さの繊維層を有する方形の耐海水性繊維マット２３が取り付けられている。また、コンクリ−トブロック２０の基台部２１の側面にも、同様に三角形状の耐海水性繊維マット２４が取り付けられている。ここで、耐海水性繊維マット２３、２４は、例えば、麻、ヤシなどのような天然繊維又はポリエステル樹脂、塩化ビニリデン樹脂、ナイロン樹脂などのような合成樹脂繊維を用いて、海水によって崩壊されることがなく且つ海藻が着生するのに適当な繊維間隙を有するような構造（例えば、織布、編布、不織布、フエルトなどの形態）に形成されている。
【００２５】
このような耐海水性繊維マット２３、２４をコンクリートブロック２０の基台部２１の表面及び側面に、例えばボルトナット手段で取付けて、海中の所定場所に設置することによって、海中で耐海水性繊維マット２３、２４の上に海藻を育成させるための藻場を造成することができる。
【００２６】
また、水平断面が十字状であるコンクリートブロック２０の基台部２１は、耐海水性繊維マット２３、２４の有効設置面積が大きいため、安定した藻場が造成でき、コンクリートブロック２０の使用個数も少なくてすむ。さらに、コンクリートブロック２０は、複雑な断面形状を有するので、海流がコンクリートブロック２０近辺で複雑に変化し、漂流する藻類が付着しやすく、さらには、あわび、うに、さざえ等の生息場にも適し、海藻と海中生物との共存が可能となるといった効果も得られる。
【００２７】
なお、耐海水性繊維マット２３、２４は、上述のようにコンクリートブロック２０に取り付けてもよいし、適当な岩石に取り付けてから海中の所定場所に設定しても良いし、海中の岩石に直接取付けてもよい。
【００２８】
このように構成した本発明に係る藻場造成用冶具１によれば、棒状部３の末端に取手部５と先端に耐海水性を有するテープ状部材９を把持する把持部７を有し、この把持部７は、棒状部３の先端において屈曲して形成され、把持部７の先端に楕円状の貫通孔１１を有するので、耐海水性のテープ状部材９を藻場造成用冶具１の楕円状の貫通孔１１に挿通把持したまま、耐海水性繊維マット２３、２４の繊維層内を挿通させることができ、これにより、耐海水性のテープ状部材を用いて、母藻を傷めることなくソフトに簡易に母藻を取付固定することができる。また、把持部７と棒状部３との屈曲の角度が、６０〜１２０度であるので、耐海水性のテープ状部材９を挿通把持している把持部７を簡単・確実に繊維層内に挿入することができ、母藻の取付固定作業の一層の簡易化を実現することができる。さらに、母藻固定用のテープ状部材９として、針金１３を樹脂１５でコーティングして、略平面状に形成されている被覆針金９を用いるので耐海水性（耐食性）が高く、芯材に針金１３を用いているので安価に構成できると共に、母藻を容易に取り付けることができる。さらに、この被覆針金９は、幅広のテープ状に形成されているので、固定の際に接触面積が大きく取れ、母藻を傷めることがない。
【００２９】
ここで、本発明に係る藻場造成用冶具１が適用される母藻は、ある程度人工的に中間育成した、例えば、つるあらめ、あらめ、かじめ、さがらめといった大型褐藻類の母藻に好適である。このように中間育成した大型褐藻類の母藻に適用することにより、一般に、光合成が困難な深い水深においても褐藻類の藻場造成が可能となる。
【００３０】
次に、本発明に係る藻場造成用冶具１を用いた藻場造成方法について、図４を参照して説明する。図４は、本発明に係る藻場造成用冶具１を用いた藻場造成方法の手順を模式的に示す図である。
【００３１】
まず、図４（ａ）に示されるように、上述の耐海水性被覆針金９を藻場造成用冶具１の棒状部３から屈曲して形成された把持部７の楕円状の貫通孔１１に挿通する。
【００３２】
次に、図４（ｂ）に示されるように、コンクリートブロック２０の基台部２１に取り付けられた耐海水性繊維マット２３または２４の一側面から、藻場造成用冶具１の把持部７の先端を、耐海水性繊維マット２３または２４の表面と略垂直に、繊維層内に挿入する。
【００３３】
そして、図４（ｃ）、（ｄ）に示されるように、藻場造成用冶具１を耐海水性繊維マット２３または２４の上述の一側面と反対側の側面に向かって、図中矢印のように回転させることにより被覆針金９を耐海水性繊維マット２３または２４の繊維層内に挿通させて、被覆針金９の先端部を耐海水性繊維マット２３または２４の表面から表出させる。
【００３４】
その後、図４（ｅ）に示されるように、藻場造成用冶具１を耐海水性繊維マット２３または２４の繊維層内に挿通させた被覆針金９から抜き取る。
【００３５】
そして、図４（ｆ）に示されるように、表出させた被覆針金９の先端部と被覆針金９とを撚り合わせることにより、母藻を取付固定する。
【００３６】
このように、本発明に係る藻場造成方法によれば、被覆針金たるテープ状部材９により母藻を取付固定するから、テープ状部材９はさび難く、母藻の根を痛め難く、母藻を確実に取付固定することができ、これにより、藻場造成作業の効率化・簡易化を図ることができる。また、上述の簡易な冶具用い、これを耐海水性繊維マット２３または２４の繊維層内に挿入し、回転させるだけで、母藻を取付固定するための耐海水性被覆針金９を繊維層内に挿通させて、耐海水性被覆針金９の先端を繊維層の表面から表出させることができる。そして、表出させた被覆針金９の先端部と被覆針金９とを撚り合わせることにより、母藻を取付固定することができるので、これにより、簡易な操作により、母藻を確実に取り付けすることができ、藻場造成作業の効率化・簡易化が図ることができる。
【００３７】
尚、本発明は上記実施形態に限定されるものではなく、本発明の思想の範囲内において、種々の変形実施が可能である。例えば、藻場造成用冶具１は、耐海水性繊維マット２３または２４の大きさ及び繊維層の厚さに応じて、適宜、棒状部３及び把持部７の長さや屈曲角度を変更してもよい。また、コンクリートブロック２０は水平断面が十字状である必要はなく、耐海水性繊維マット２３、２４の有効設置面積が大きくなる他の多角形状とすることができる。また、コンクリートブロック２０を用いずに、被取付体として防波堤などの構造物やケーソン，防波堤に設置されるブロック（被覆ブロックなど）等に、耐海水性繊維マット２３、２４を取り付けても良く、被取付体に各種のものを用いることができ、特に、コンクリート製のものに対して有用である。
【００３８】
【発明の効果】
以上説明したとおり、本発明の請求項１に記載の藻場造成方法によれば、針金を樹脂コーティングし、略平面状に形成された幅広な被覆針金と、母藻が植えられる耐海水性繊維マットと、該耐海水性繊維マットが取り付けられている被取付体とを用い、前記被覆針金により前記母藻を取付固定するから、被覆針金はさび難く、母藻の根を痛め難く、母藻を確実に取付固定することができ、これにより、藻場造成作業の効率化・簡易化が図れる。
【００３９】
本発明の請求項２に記載の藻場造成用冶具によれば、棒状部の末端に取手部と先端に耐海水性を有するテープ状部材を把持する把持部を有し、この把持部は、棒状部の先端において屈曲して形成され、把持部の先端に楕円状の貫通孔を有するので、耐海水性のテープ状部材を藻場造成用冶具の楕円状の貫通孔に挿通把持して、簡易に藻場造成用の繊維層内を挿通させることができ、これにより、耐海水性のテープ状部材を用いて、母藻を傷めることなくソフトに簡易に母藻を取付固定することができる。
【００４０】
また、請求項３に記載の藻場造成用冶具によれば、請求項２において、把持部と棒状部との屈曲の角度が、６０〜１２０度であるので、耐海水性のテープ状部材を挿通把持している把持部を簡単・確実に藻場造成用の繊維層内に挿入することができ、これにより母藻の取付固定作業の一層の簡易化を実現することができる。
【００４１】
また、請求項４に記載の藻場造成用冶具によれば、請求項２または３において、母藻取り付け用のテープ状部材として、針金を樹脂コーティングして、略平面状に形成されている被覆針金を用いるので耐海水性（耐食性）が高く、芯材に針金を用いているので安価に構成できると共に、母藻を容易に取付固定することができる。さらに、この被覆針金は、幅広のテープ状に形成されているので、固定の際に接触面積が大きく取れ、母藻を傷めることがない。
【００４２】
また、請求項５に記載の藻場造成方法によれば、上記藻場造成用冶具と、樹脂材料でコーティングした幅広な被覆針金と、母藻が植えられる耐海水性繊維マットと、該耐海水性繊維マットが表面に取り付けられているコンクリートブロックとを用い、まず、被覆針金を藻場造成用冶具の貫通孔に挿通し、次に、耐海水性繊維マットの一側面から、藻場造成用冶具の把持部の先端を、耐海水性繊維マットの表面と略垂直に、繊維層内に挿入し、藻場造成用冶具を耐海水性繊維マットの前記一側面と反対側の側面に向かって回転させることにより被覆針金を前記繊維層内に挿通させて、被覆針金の先端部を耐海水性繊維マットの表面から表出させ、藻場造成用冶具を繊維層内に挿通させた被覆針金から抜き取り、表出させた被覆針金の先端部と被覆針金とを撚り合わせることにより、母藻を取付固定することができるので、簡易な用具及び操作により、母藻を確実に取付固定することができ、これにより、藻場造成作業の効率化・簡易化が図れる。また、貫通孔１１は楕円状に限らず、被覆針金を挿通把持できえば、長穴状などの各種形状とすることができる。
【図面の簡単な説明】
【図１】本発明に係る藻場造成用冶具を模式的に示す図であり、（ａ）は藻場造成用冶具の構成を示す斜視図であり、（ｂ）は先端の把持部の構成を示す斜視図である。
【図２】本発明に係る耐海水性の被覆したテープ状部材を模式的に示す図であり、（ａ）は平面図、（ｂ）は（ａ）のＡ−Ａ線に沿った断面図である。
【図３】本発明に係る藻場造成用冶具が適用される藻場造成用のコンクリ−トブロックを示す斜視図である。
【図４】本発明に係る藻場造成用冶具を用いた藻場造成方法の手順を模式的に示す斜視図である。
【符号の説明】
１      藻場造成用冶具
３      棒状部
５      取手部
７      把持部
９      テープ状部材（被覆針金）
１１    貫通孔
１３    針金
１５    樹脂
２０    コンクリートブロック（被取付体）
２１    基台部
２３    耐海水性繊維マット
２４    耐海水性繊維マット
【図１】
2005013162.tif 000003
【図２】
2005013162.tif 000004
【図３】
2005013162.tif 000005
【図４】
2005013162.tif 000006